(57)【要約】【課題】複数の遊技種が存在する場合に、持玉や貯玉のような遊技媒体の一部を第三者に譲り渡す場合の利便性を向上することを課題とする。【解決手段】分割対象受付部１０ｈは、分割元となる遊技種と、分割先となる遊技種の指定を受け付ける。持玉分割処理部１０ｊは、分割数を受け付けたならば、分割元の持玉数から分割数を減算した値を関連付けた分割元カードを排出した後、分割数に対応する持玉数を関連付けた分割先カードを排出する。【選択図】図４
2013215565.tif 000002
【特許請求の範囲】
【請求項１】
遊技店に設置された遊技機により使用される遊技媒体の数を記憶媒体に関連付ける処理を行う記憶媒体処理装置であって、
第１の記憶媒体に関連付けられるべき遊技者が獲得した遊技媒体数のうちの少なくとも一部を分割するための分割数或いは残す数と少なくとも分割したい分割元の遊技種の入力を受け付ける分割情報受付手段と、
前記分割情報受付手段で受け付けた情報に基づいて第２の記憶媒体に分割処理を行う分割処理手段と
を備えたことを特徴とする記憶媒体処理装置。
【請求項２】
前記分割情報受付手段は、分割先の遊技種の指定をさらに受け付け、前記分割処理手段は、前記分割元の遊技種における遊技媒体と有価価値との対応レートと、前記分割先の遊技種における遊技媒体と有価価値との対応レートとが異なる場合に、前記対応レートの差に基づいて前記遊技媒体数を換算して前記第２の記憶媒体に関連づけることを特徴とする請求項１に記載の記憶媒体処理装置。
【請求項３】
前記分割情報受付手段により受け付けられる前記分割元の遊技種と前記分割先の遊技種とは、遊技媒体の種類が異なることを特徴とする請求項２に記載の記憶媒体処理装置。
【請求項４】
前記分割情報受付手段は、複数の遊技種のうち、分割が禁止された遊技種以外の遊技種から前記分割元の遊技種の指定を受け付けることを特徴とする請求項１、２又は３に記載の記憶媒体処理装置。
【請求項５】
前記遊技媒体数を減算し、減算した遊技媒体数に対応する数の遊技媒体を払い出す払出手段をさらに備えたことを特徴とする請求項１〜４のいずれか一つに記載の記憶媒体処理装置。
【請求項６】
前記遊技媒体数に基づいて、前記遊技機の遊技領域に対する遊技媒体の射出を管理する射出管理手段をさらに備えたことを特徴とする請求項１〜４のいずれか一つに記載の記憶媒体処理装置。
【請求項７】
前記分割処理手段は、複数の遊技種からそれぞれ遊技媒体の数を分割し、分割した遊技媒体の数を各遊技種における前記対応レートに応じて換算し、換算した遊技媒体の数を合算して前記第２の記憶媒体に関連づけることを特徴とする請求項２〜６のいずれか一つに記載の記憶媒体処理装置。
【請求項８】
前記分割情報受付手段は、自装置に設定された遊技種を分割先の遊技種として選択することを特徴とする請求項１〜７のいずれか一つに記載の記憶媒体処理装置。
【請求項９】
遊技店に設置された遊技機により使用される遊技媒体の数を記憶媒体に関連付ける処理を行う記憶媒体処理装置を含む遊技システムであって、
第１の記憶媒体に関連付けられるべき遊技者が獲得した遊技媒体数のうちの少なくとも一部を分割するための分割数或いは残す数と少なくとも分割したい分割元の遊技種の入力を受け付ける分割情報受付手段と、
前記分割情報受付手段で受け付けた情報に基づいて第２の記憶媒体に分割処理を行う分割処理手段と
を備えたことを特徴とする遊技システム。
【請求項１０】
遊技店に設置された遊技機により使用される遊技媒体の数を記憶媒体に関連付ける記憶媒体処理方法であって、
第１の記憶媒体に関連付けられるべき遊技者が獲得した遊技媒体数のうちの少なくとも一部を分割するための分割数或いは残す数と少なくとも分割したい分割元の遊技種の入力を受け付ける分割情報受付工程と、
前記分割情報受付工程で受け付けた情報に基づいて第２の記憶媒体に分割処理を行う分割処理工程と
を含んだことを特徴とする記憶媒体処理方法。
【発明の詳細な説明】
【技術分野】
【０００１】
この発明は、遊技店に設置された遊技機により使用される遊技媒体の数を記憶媒体に関連づける処理を行う記憶媒体処理装置、記憶媒体処理装置を含む遊技システム及び記憶媒体処理方法に関し、特に、持玉や貯玉のような遊技媒体の一部を第三者に譲り渡す場合の利便性を向上した記憶媒体処理装置、記憶媒体処理装置を含む遊技システム及び記憶媒体処理方法に関する。
【背景技術】
【０００２】
従来、パチンコ店などの遊技店には、遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉としてカードＩＤに対応づけて台間カード処理機並びにカード管理装置で管理するとともに、遊技客が台間カード処理機で持玉払出操作を行うことで、かかる持玉を所定数ずつ払い出す各台計数機付き台間カード処理機も普及しつつある（例えば、特許文献１参照）。
【０００４】
かかる各台計数機付き台間カード処理機を用いることで、遊技客は、パチンコ玉等の遊技媒体の現物を持ち歩かなくとも、持玉、貯遊技媒体及びプリペイド価値が関連付けられたカードを用いて遊技の継続並びに遊技機の台移動を行うことができる。
【０００５】
また、カードに関連付けられたデータの一部を他のカードに関連づけることで分割する技術も知られている。かかる技術により、持玉や貯玉のような遊技媒体の一部を他の遊技客に譲渡して遊技媒体を共有することができる。
【先行技術文献】
【特許文献】
【０００６】
【特許文献１】特開２００７−２２９１１１号公報
【発明の概要】
【発明が解決しようとする課題】
【０００７】
しかしながら、上記従来技術では、カードにレート等の異なる複数の遊技種についてそれぞれ遊技媒体数が関連付けられた状況が想定されておらず、利便性が不十分であるという問題点があった。
【０００８】
この点を具体的に説明すると、最近では、レート等の異なる複数の遊技種を同一の店舗で使用可能な遊技システムが知られており、かかる場合には、カードには遊技種毎に遊技媒体数が関連づけられる。
【０００９】
例えば、１玉１円の１円レートでパチンコ玉を貸し出す区画と、１玉４円の４円レートでパチンコ玉を貸し出す区画とを遊技店に設けた場合には、カードには１円レートの持玉と４円レートの持玉とがそれぞれ関連付けられる。台間カード処理機において持玉の再プレイを行う場合には、該台間カード処理機が設置された区画のレートのみが対象となる。
【００１０】
ところが、分割処理を行う場合には、台間カード処理機が設置された区画のレートのみならず、他のレートの持玉を分割したいという要望がある。分割の目的は持玉の譲渡であり、譲渡された持玉はレートが同一の区画で使用されるとは限らないからである。また、分割元の遊技種とは異なる遊技種に分割したいという要望もある。
【００１１】
しかしながら、上記従来技術にかかる遊技媒体数の分割では、複数の遊技種が存在することが想定されていないため、再プレイ対象とは異なる遊技種の遊技媒体数を分割することや、分割元とは異なる遊技種として分割すること等の遊技客の要望に応えることができなかった。
【００１２】
これらのことから、複数の遊技種が存在する場合に、遊技媒体数の分割にかかる利便性をいかにして向上するかが大きな課題となっている。かかる課題は、レートが異なる場合のみならず、パチンコ玉とスロットメダルのように遊技媒体の種類が異なる遊技種についても同様に生じる課題である。
【００１３】
本発明は、上述した従来技術による問題点を解消するためになされたものであって、複数の遊技種が存在する場合に、持玉や貯玉のような遊技媒体の一部を第三者に譲り渡す場合の利便性を向上することができる記憶媒体処理装置、記憶媒体処理装置を含む遊技システム及び記憶媒体処理方法を提供することを目的とする。
【課題を解決するための手段】
【００１４】
上述した課題を解決し、目的を達成するため、本発明は、遊技店に設置された遊技機により使用される遊技媒体の数を記憶媒体に関連付ける処理を行う記憶媒体処理装置であって、第１の記憶媒体に関連付けられるべき遊技者が獲得した遊技媒体数のうちの少なくとも一部を分割するための分割数或いは残す数と少なくとも分割したい分割元の遊技種の入力を受け付ける分割情報受付手段と、前記分割情報受付手段で受け付けた情報に基づいて第２の記憶媒体に分割処理を行う分割処理手段とを備えたことを特徴とする。
【００１５】
また、本発明は、上記の発明において、前記分割情報受付手段は、分割先の遊技種の指定をさらに受け付け、前記分割処理手段は、前記分割元の遊技種における遊技媒体と有価価値との対応レートと、前記分割先の遊技種における遊技媒体と有価価値との対応レートとが異なる場合に、前記対応レートの差に基づいて前記遊技媒体数を換算して前記第２の記憶媒体に関連づけることを特徴とする。
【００１６】
また、本発明は、上記の発明において、前記分割情報受付手段により受け付けられる前記分割元の遊技種と前記分割先の遊技種とは、遊技媒体の種類が異なることを特徴とする。
【００１７】
また、本発明は、上記の発明において、前記分割情報受付手段は、複数の遊技種のうち、分割が禁止された遊技種以外の遊技種から前記分割元の遊技種の指定を受け付けることを特徴とする。
【００１８】
また、本発明は、上記の発明において、前記遊技媒体数を減算し、減算した遊技媒体数に対応する数の遊技媒体を払い出す払出手段をさらに備えたことを特徴とする。
【００１９】
また、本発明は、上記の発明において、前記遊技媒体数に基づいて、前記遊技機の遊技領域に対する遊技媒体の射出を管理する射出管理手段をさらに備えたことを特徴とする。
【００２０】
また、本発明は、上記の発明において、前記分割処理手段は、複数の遊技種からそれぞれ遊技媒体の数を分割し、分割した遊技媒体の数を各遊技種における前記対応レートに応じて換算し、換算した遊技媒体の数を合算して前記第２の記憶媒体に関連づけることを特徴とする。
【００２１】
また、本発明は、上記の発明において、前記分割情報受付手段は、自装置に設定された遊技種を分割先の遊技種として選択することを特徴とする。
【００２２】
また、本発明は、遊技店に設置された遊技機により使用される遊技媒体の数を記憶媒体に関連付ける処理を行う記憶媒体処理装置を含む遊技システムであって、第１の記憶媒体に関連付けられるべき遊技者が獲得した遊技媒体数のうちの少なくとも一部を分割するための分割数或いは残す数と少なくとも分割したい分割元の遊技種の入力を受け付ける分割情報受付手段と、前記分割情報受付手段で受け付けた情報に基づいて第２の記憶媒体に分割処理を行う分割処理手段とを備えたことを特徴とする。
【００２３】
また、本発明は、遊技店に設置された遊技機により使用される遊技媒体の数を記憶媒体に関連付ける記憶媒体処理方法であって、第１の記憶媒体に関連付けられるべき遊技者が獲得した遊技媒体数のうちの少なくとも一部を分割するための分割数或いは残す数と少なくとも分割したい分割元の遊技種の入力を受け付ける分割情報受付工程と、前記分割情報受付工程で受け付けた情報に基づいて第２の記憶媒体に分割処理を行う分割処理工程とを含んだことを特徴とする。
【発明の効果】
【００２４】
本発明によれば、第１の記憶媒体に関連付けられるべき遊技者が獲得した遊技媒体数のうちの少なくとも一部を分割するための分割数或いは残す数と少なくとも分割したい分割元の遊技種の入力を受け付け、受け付けた情報に基づいて分割処理するよう構成したので、複数の遊技種が存在する場合に、持玉や貯玉のような遊技媒体の一部を第三者に譲り渡す場合の利便性を向上することができる。
【図面の簡単な説明】
【００２５】
【図１】図１は、実施例１に係る台間カード処理機及び持玉分割方法の概念を説明するための説明図である。
【図２】図２は、実施例１に係る遊技システムのシステム構成を示す図である。
【図３】図３は、図１に示した台間カード処理機の外観構成を示す図である。
【図４】図４は、図１に示した台間カード処理機及びカード管理装置の内部構成を示す機能ブロック図である。
【図５】図５は、図４に示したカード情報の一例を示す図である。
【図６】図６は、図４に示した台間カード処理機及びカード管理装置によるカード挿入時の処理手順を示すフローチャートである。
【図７】図７は、図４に示した台間カード処理機による持玉分割処理時の処理手順を示すフローチャートである。
【図８】図８は、実施例２に係る台間カード処理機及び封入式遊技機の内部構成を示す機能ブロック図である。
【図９】図９は、実施例３に係る台間カード処理機及び持玉分割方法の概念を説明するための説明図である。
【図１０】図１０は、図９に示した台間カード処理装置の内部構成を示す機能ブロック図である。
【図１１】図１１は、図１０に示した台間カード処理機による持玉分割処理時の処理手順を示すフローチャートである。
【図１２】図１２は、乗入処理の具体例について説明するための説明図である。
【発明を実施するための形態】
【００２６】
以下に、添付図面を参照して、本発明に係る記憶媒体処理装置、遊技システム及び記憶媒体処理方法の好適な実施例を詳細に説明する。なお、以下では、記憶媒体がカードであり、このカードに関連付けられる持玉を分割対象とした場合を中心に説明することとする。
【００２７】
本明細書中にあって持玉とは、遊技客が遊技において獲得した遊技媒体または当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技台を移動した場合等に使用する。貯玉は通常、会員遊技客のみが使用可能であり、獲得した遊技媒体を翌日以降の遊技に用いる場合に使用する。貯玉の使用には所定の手数料が課される（手数料は遊技媒体数を減算することで徴収される）ことが通常であるが、時間帯や会員種別によって徴収しないこととしてもよい。
【実施例１】
【００２８】
まず、本実施例１に係る台間カード処理機及び持玉分割方法の概念について説明する。図１は、本実施例１に係る台間カード処理機及び持玉分割方法の概念を説明するための説明図である。図１に示す台間カード処理機１０は、遊技客自身の操作によって持玉を分割できる装置である。
【００２９】
遊技客が持玉を分割する場合には、分割元の遊技種、分割先の遊技種並びに分割する持玉数を入力する。図１（ａ１）は、分割元の遊技種を選択する操作を行った状態を示している。図１（ａ１）に示す状態では、台間カード処理機１０の表示操作部１３に、４円パチンコの持玉と、１円パチンコの持玉と、２０円スロットの持玉とが表示されている。
【００３０】
４円パチンコは、１玉４円で貸し出された４円レートのパチンコ玉の持玉を示す。図１（ａ１）では、４円パチンコの持玉は「１０００玉」である。１円パチンコは、１玉１円で貸し出された１円レートのパチンコ玉の持玉を示す。図１（ａ１）では、１円パチンコの持玉は「５００玉」である。２０円スロットは、１枚２０円で貸し出された２０円レートのスロットメダルの持玉を示す。図１（ａ１）では、２０円スロットの持玉は「７００枚」である。
【００３１】
また、図１（ａ１）では、遊技客により１円パチンコの持玉が分割元として指定されている。台間カード処理機１０は、分割元の指定を受け付けた後、図１（ａ２）に示すように、分割先の指定を受け付ける。図１（ａ２）は、４円パチンコ、１円パチンコ及び２０円スロットのうち、１円パチンコが分割先として指定された状態を示している。
【００３２】
台間カード処理機１０は、分割先の指定を受け付けた後、図１（ａ３）に示すように、分割数の指定を受け付ける。図１（ａ３）は、「３００玉」を分割数として指定された状態を示している。
【００３３】
台間カード処理機１０は、分割数の指定を受け付けた場合に、分割元について分割前後の持玉数を表示し、分割先について分割後の持玉数を表示する。具体的には、分割元である１円パチンコの持玉数「５００」が分割後に「２００玉」となることを表示し、分割先である１円パチンコの持玉数が「３００玉」となることを表示する。
【００３４】
ここで、図１（ａ３）では、分割元のレートと分割後のレートが同一であるので、分割先の持玉数は分割数と同一であるが、分割元のレートと分割後のレートが異なる場合には、該レートの差に基づいて分割数を換算することで、分割先に関連付けられる持玉数を求めて表示する。例えば、分割元が１円パチンコであり、分割数が「３００玉」であり、分割先が４円レートであるならば、分割先に関連付けられるパチンコ玉は「７５玉」となる。
【００３５】
遊技客により分割元、分割先及び分割数を指定された後、台間カード処理機１０は、カードの排出操作を行う。これにより、図１（ｂ）に示すように、分割元のカードＣ１及び分割先のカードＣ２が排出される。
【００３６】
分割元のカードＣ１には、４円パチンコの持玉「１０００玉」、１円パチンコの持玉「２００玉」並びに２０円スロットの持玉「７００枚」が関連付けられている。また、分割先のカードＣ２には、１円パチンコの持玉「３００玉」が関連付けられている。
【００３７】
このため、遊技客は、台間カード処理機１０のカードユニット部１５に分割元のカードＣ１を挿入して遊技を継続するとともに、分割先のカードＣ２を第三者に渡すことで持玉の一部を第三者に譲渡することができる。この分割先のカードＣ２を受け取った第三者は、他の遊技機に併設された台間カード処理機１０のカードユニット部１５に分割先のカードＣ２を挿入することで、１円パチンコの持玉「３００玉」を保有した状態で遊技を行うことが可能となる。
【００３８】
さらに、この台間カード処理機１０は、分割処理終了後の時点から所定の期間（例えば「３０秒」）であれば、分割処理した２枚のカードを合算して元の状態に戻すことが可能である。分割操作を誤った場合や分割処理を行っている途中で状況が変化した場合に柔軟に対応できるようにするためである。
【００３９】
次に、本実施例１に係る遊技システムのシステム構成について説明する。図２は、本実施例１に係る遊技システムのシステム構成を示す図である。同図に示すように、この遊技媒体処理システムでは、複数の遊技機２０と、各遊技機２０にそれぞれ対応して設けられた台間カード処理機１０と、カード管理装置４０と、会員管理装置５０と、複数の島端計数機６０と、精算機７０と、景品管理装置８０とが通信回線９０を介して接続されている。なお、複数の遊技機２０及び台間カード処理機１０は、島コントローラ３０を介して通信回線９０に接続されている。
【００４０】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００４１】
この台間カード処理機１０には、あらかじめ複数枚のカードが収納されており、遊技客が遊技を終えてカード返却ボタン２１ａを押下操作すると、該カードにプリペイド価値並びに持玉数が関連付けた後に返却される。具体的には、このプリペイド価値及び持玉数がカードに書き込まれるとともに、カード管理装置４０で管理されるカード情報４０ｅの内容が更新される。また、カードを受け入れたならば、このカードのプリペイド価値並びに持玉数をカード管理装置４０から取得し、取得したプリペイド価値並びに持玉数に基づいてパチンコ玉の貸出処理並びに持玉の投出処理を行う。なお、カード自体にプリペイド価値並びに持玉数を書き込んだ理由は主にオフライン運用を考慮したためであり、通常運用ではカード管理装置４０で管理されるカード情報４０ｅが正として取り扱われる。
【００４２】
また、この台間カード処理機１０は、持玉が存在する状況下で持玉の分割数を入力する持玉分割操作が行われると、該持玉数から分割数を差し引いた値を関連付けた分割元カードを排出した後、分割数を関連付けた分割先カードを排出する。このため、遊技客は、先に排出された分割元カードを再度台間カード処理機１０に挿入して遊技を継続できるとともに、分割先カードを第三者に渡して持玉共有を行うことができる。
【００４３】
ここで、入力された持玉数が適正な値ではなく、分割元カード及び分割先カードに関連付けられる持玉数が所定値（例えば、「１２５玉」）未満となる場合には、持玉の分割処理は実行されない。関連付けられる持玉が極端に少ない分割先カードは、無駄に捨てられる可能性が高いためである。ただし、分割元カードが会員カードである場合には、分割元カード及び分割先カードに関連付けられる持玉数が所定値未満となる場合であっても、持玉の分割処理を実行する。会員の場合は、無駄な分割先カードを発行するケースが少なく、また夜間に持玉が自動的に貯玉移行された場合に、貯玉上限を超える状況を避けるべく少量の持玉分割を行う可能性があるためである。
【００４４】
島コントローラ３０は、遊技島に設けられた一群の遊技機２０及び台間カード処理機１０を束ねる中継装置である。カード管理装置４０は、カードのプリペイド価値及び持玉数等をカード情報４０ｅとして管理する管理装置である。持玉数については、レートや遊技媒体の種類等が異なる遊技種毎に管理する。
【００４５】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００４６】
島端計数機６０は、遊技島端等に設けられ、遊技客が獲得したパチンコ玉数を計数し、計数値をカードに関連付けるか、レシートへ印字して発行する。精算機７０は、プリペイド価値が関連付けられたカードが挿入されると、このプリペイド価値に相当する現金の払出を行う。景品管理装置８０は、遊技店内の景品交換カウンターに併設された景品交換用の端末装置であり、貯玉及び持玉の景品交換処理を行う。
【００４７】
次に、図１に示した台間カード処理機１０の外観構成について説明する。図３は、図１に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００４８】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカードを受け付けるカードユニット部１５と、携帯端末の識別子であるＩＤｍを読み取る携帯読取部１６とが設けられている。
【００４９】
また、台間カード処理機１０は、遊技客が獲得したパチンコ玉数を持玉数として計数する計数部１７と、獲得玉を貯留する持玉貯留部１８とを有する。遊技機２０の下皿２２から落下したパチンコ玉は、持玉貯留部１８を経て計数部１７へと導かれる。この持玉貯留部１８には、持玉数を表示する持玉数表示部１８ａが設けられている。この持玉数表示部１８ａは、７セグメント（７ＳＥＧ）のＬＣＤ等で構成され、後述する台間カード処理機１０の制御部１０ｆにより表示制御される。
【００５０】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。その詳細な説明は後述するが、表示操作部１３から所定のパチンコ玉数を入力してカード返却ボタン２１ａが押下操作されると、持玉分割処理が行われる。
【００５１】
次に、図１に示した台間カード処理機１０及びカード管理装置４０の内部構成について説明する。図４は、図１に示した台間カード処理機１０及びカード管理装置４０の内部構成を示す機能ブロック図である。
【００５２】
同図に示すように、台間カード処理機１０は、Ｒ／Ｗ部１０ａと、通信Ｉ／Ｆ部１０ｂと、記憶部１０ｃと、制御部１０ｆとを有する。この制御部１０ｆには、表示操作部１３、計数部１７及び持玉数表示部１８ａが接続されている。
【００５３】
Ｒ／Ｗ部１０ａは、受け入れたカードへのデータの読み書きを行う処理部である。具体的には、カードが挿入された場合には、該カードのカードＩＤ、プリペイド価値及び持玉数を読み込んで制御部１０ｆに出力する。カードを返却する場合には、このカードにプリペイド価値及び持玉数を書き込む処理を行う。なお、カードにプリペイド価値及び持玉数を書き込む理由は、カード管理装置４０との通信が途絶した状況下でもオフライン運用を可能にするためである。
【００５４】
通信Ｉ／Ｆ部１０ｂは、カード管理装置４０とデータ通信を行うためのインタフェース部である。通信Ｉ／Ｆ部１０ｂは、セキュリティチップ部を有している。セキュリティチップは、自己の識別ＩＤ及び所定の暗号化・復号化プログラムを有するものであり、カード管理装置４０のセキュリティチップとの間で通信を行うためのものである。セキュリティチップは、通信Ｉ／Ｆ部１０ｂから入出力するデータが予め定められたセキュリティ性を要するデータ種別に該当するかどうかを判別し、該当しない場合はそのままデータの入出力を行う。一方、セキュリティ性を要するデータ種別に該当する場合は、データの入出力に際し、自己の識別ＩＤと相手方の識別ＩＤを用いて、カード管理装置４０のセキュリティチップとの間で相互認証処理を行う。ここで相互認証ＯＫであれば、出力の場合は暗号化プログラムにより暗号化したデータを出力し、入力の場合は、相手方からのデータの入力待ちとなって、受信したデータの復号化を行う。カード管理装置４０のセキュリティチップとの間では、予め暗号化・復号化方式が取り決められており、相互に相手方が暗号化したデータを復号化することが可能となっている。ここで、セキュリティ性を要しないデータとは、カード返却操作の入力信号等、不正に入力されても実質的に損害のないものが含まれる。セキュリティ性を要するデータとは、持玉数、遊技機における不正検出信号、貸玉の通知、貸玉の使用通知、レート情報など、遊技客・遊技店の利益に直接かかわるものが含まれる。また、セキュリティ性を要するデータ種別かどうかの判断は、制御部１０ｆで行っても良い。また、相互認証にてＮＧとなった場合には、相互認証ＮＧを検知した機器は上位装置および自機の表示部に異常を出力した上で、エラーダウンする。
【００５５】
記憶部１０ｃは、ハードディスク装置や不揮発性メモリ等の記憶デバイスであり、遊技客が保持する持玉を示す持玉数１０ｄと、持玉分割を行う場合の条件となる最小数を意味する最小持玉数１０ｅとを記憶する。
【００５６】
制御部１０ｆは、台間カード処理機１０の全体制御を行う制御部であり、持玉管理部１０ｇ、分割対象受付部１０ｈ、持玉分割処理部１０ｊ及び払出処理部１０ｋを有する。持玉管理部１０ｇは、記憶部１０ｃに記憶した持玉数１０ｄを用いて遊技客の持玉数を管理する管理部である。具体的には、新たな持玉が計数された場合には計数値を遊技種の持玉数に加算処理し、持玉の払い出しが行われた場合には払い出し数を設定された遊技種の持玉数から減算処理する。
【００５７】
持玉数の加算処理及び減算処理は、持玉数のうち、台間カード処理機１０が併設された遊技機により使用されるレート及び種類に対応する持玉数に対して行う。また、カードを返却する場合には、カード管理装置４０に対して持玉数を通知してカード管理装置４０により管理されるカード情報４０ｅの更新指示を行う。
【００５８】
分割対象受付部１０ｈは、分割元となる遊技種と、分割先となる遊技種の指定を受け付ける処理部である。具体的には、分割対象受付部１０ｈは、分割元として選択可能な遊技種を表示操作部１３に表示制御し、遊技客からの選択操作を受け付ける。
【００５９】
分割元として選択可能な遊技種は、持玉数が「０」よりも大きい遊技種である。また、カード管理装置４０により、分割が禁止された遊技種がある場合には、分割が禁止された遊技種を分割元としての選択対象から除外する。
【００６０】
また、分割対象受付部１０ｈは、分割先として選択可能な遊技種を表示操作部１３に表示制御し、遊技客からの選択操作を受け付ける。分割先として選択可能な遊技種は、カード管理装置４０により分割が禁止された遊技種以外の遊技種である。
【００６１】
持玉分割処理部１０ｊは、持玉の分割処理を行う処理部である。具体的には、表示操作部１３を介して分割数を受け付けたならば、分割元の持玉数から分割数を減算した値を関連付けた分割元カードを排出した後、分割数に対応する持玉数を関連付けた分割先カードを排出する処理を行う。
【００６２】
持玉分割処理部１０ｊは、換算処理部１０ｊ１を有する。換算処理部１０ｊ１は、分割元のレートと分割後のレートが異なる場合には、該レートの差に基づいて分割数を換算することで、分割先に関連付ける持玉数を算定する処理部である。持玉分割処理部１０ｊは、換算処理部１０ｊ１により算定された持玉数を分割先カードに対応付ける。
【００６３】
また、持玉分割処理部１０ｊは、換算処理部１０ｊ１により算定された持玉数若しくは分割数を減算した持玉数が最小持玉数（例えば「１２５玉」）未満である場合には、持玉分割処理を行わない。ただし、分割元カードが会員カードである場合には、分割数が最小持玉数未満であっても持玉分割処理を行う。
【００６４】
具体的には、持玉分割処理部１０ｊは、表示操作部１３から分割数の入力を受け付け、かつ、遊技機２０のカード返却ボタン２１ａの押下操作を検知したならば、持玉分割操作がなされたものと判定する。そして、分割元として指定された遊技種の持玉数から分割数を減算した値若しくは換算処理部１０ｊ１により算定された持玉数が、最小持玉数未満であるか否かを判定する。その結果、分割元として指定された遊技種の持玉数から分割数を減算した値若しくは換算処理部１０ｊ１により算定された持玉数のいずれか一方が、最小持玉数未満である場合には、入力値異常を示す「ＮＧ」を表示操作部１３に表示して、持玉分割処理を行わない。これに対して分割元として指定された遊技種の持玉数から分割数を減算した値若しくは換算処理部１０ｊ１により算定された持玉数がともに最小持玉数以上である場合には、持玉分割処理を行う。なお、持玉分割処理の詳細な説明については後述する。
【００６５】
払出処理部１０ｋは、持玉払出ボタンが押下操作された場合に、ノズル１４を介して持玉数のうちの所定数（例えば、１２５玉）を遊技機２０の上皿２１に投出するとともに、貸出ボタンが押下操作された場合には、カードにプリペイド価値があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００６６】
次に、カード管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０とデータ通信するためのインタフェース部であり、記憶部４０ｄは、ハードディスク装置や不揮発性メモリ等の記憶デバイスである。
【００６７】
図５に示すように、この記憶部４０ｄには、カードＩＤ、プリペイド価値及び持玉数が対応づけられたカード情報４０ｅが記憶されている。図５は、カードＩＤ「００１」に対し、プリペイド価値「０円」、４円パチンコの持玉数「１０００玉」、１円パチンコの持玉数「２００玉」及び２０円スロットの持玉数「７００枚」が関連付けられた状態を示している。また、図５は、カードＩＤ「００２」に対し、プリペイド価値「０円」、４円パチンコの持玉数「０玉」、１円パチンコの持玉数「３００玉」及び２０円スロットの持玉数「０枚」が関連付けられた状態を示している。
【００６８】
制御部４０ｆは、カード管理装置４０を全体制御する制御部であり、カード情報管理部４０ｇを有する。カード情報管理部４０ｇは、記憶部４０ｄに記憶したカード情報４０ｅを用いて各カードの持玉数やプリペイド価値を管理する。
【００６９】
次に、図４に示した台間カード処理機１０及びカード管理装置４０によるカード挿入時の処理手順について説明する。図６は、図４に示した台間カード処理機１０及びカード管理装置４０によるカード挿入時の処理手順を示すフローチャートである。ここでは、説明の便宜上、カードに持玉が関連付けられているものとする。
【００７０】
図６に示すように、台間カード処理機１０は、カードを受け付けたならば（ステップＳ１０１；Ｙｅｓ）、Ｒ／Ｗ部１０ａによりカードＩＤを読み取り（ステップＳ１０２）、このカードＩＤを含む持玉数の問合せ信号をカード管理装置４０に対して送信する（ステップＳ１０３）。
【００７１】
カード管理装置４０は、持玉数の問合せ信号を受信したならば（ステップＳ１０４；Ｙｅｓ）、カード情報４０ｅをカードＩＤで検索して、該カードＩＤに関連付けられた各遊技種の持玉数を抽出し（ステップＳ１０５）、抽出した各遊技種の持玉数を台間カード処理機１０に送信した後（ステップＳ１０６）、カード情報４０ｅのカードＩＤに関連付けられた各遊技種の持玉数を「０玉」にクリアする（ステップＳ１０７）。台間カード処理機１０が、各遊技種の持玉数を受信したならば（ステップＳ１０８；Ｙｅｓ）、受信した各遊技種の持玉数を記憶部１０ｃに記憶し（ステップＳ１０９）、この持玉数を持玉数表示部１８ａに表示する（ステップＳ１１０）。上記一連の処理を行うことにより、カードに関連付けられた持玉数１０ｄが台間カード処理機１０に記憶されることになる。なお、カードＩＤに関連付けられた各遊技種の持玉数を全て「０玉」にクリアするのではなく、カードが挿入された台間カード処理機の遊技種（玉、１円レート等）に該当する遊技種（玉、１円レート）に関する持玉数を「０玉」にクリアするようにしてもよい。
【００７２】
このように、通常時は、カードに記録された持玉数ではなく、カード管理装置４０に記憶された持玉数を正として利用するとともに、カードが台間カード処理機１０に挿入されたならば、この台間カード処理機１０に持玉数を移管することになる。そして、カードが返却される場合に、台間カード処理機１０内の持玉数がカード管理装置４０に移管され、カード情報４０ｅが更新される。
【００７３】
次に、図４に示した台間カード処理機１０による持玉分割処理時の処理手順について説明する。図７は、図４に示した台間カード処理機１０による持玉分割処理時の処理手順を示すフローチャートである。ここでは説明の便宜上、図６に示した処理若しくは遊技客による遊技により、台間カード処理機１０の記憶部１０ｃに持玉数が記憶されていることとする。
【００７４】
図７に示すように、台間カード処理機１０は、分割元の遊技種を指定する操作の受け付け待ちの状態にあり（ステップＳ２０１）、分割元の遊技種（例えば４円レート）を指定する操作を受け付けたならば（ステップＳ２０１；Ｙｅｓ）、分割先の遊技種を指定する操作の受け付け待ちの状態となる（ステップＳ２０２）。
【００７５】
分割先の遊技種を指定する操作を受け付けたならば（ステップＳ２０２；Ｙｅｓ）、台間カード処理機１０は、分割数の受け付け待ちの状態となる（ステップＳ２０３）。持玉数を受け付けたならば（ステップＳ２０３；Ｙｅｓ）、台間カード処理機１０は、分割元の現持玉数１０ｄ（Ａ）と分割数（Ｂ）から分割後の分割元カードの持玉数（Ｃ）を「Ｃ＝Ａ−Ｂ」の算定式により算定する（ステップＳ２０４）。そして、分割後の分割元カードの持玉数（Ｃ）が最小持玉数未満であるか否かを判定する（ステップＳ２０５）。
【００７６】
また、台間カード処理機１０は、分割元の遊技種と分割先の遊技種のレートの差に基づいて分割数（Ｂ）を換算し、分割先カードに関連付ける持玉数（Ｄ）を算定し（ステップＳ２０６）、分割後の分割先カードの持玉数（Ｄ）が最小持玉数未満であるか否かを判定する（ステップＳ２０７）。
【００７７】
持玉数（Ｃ）と持玉数（Ｄ）のうち、少なくともいずれか一方が最小持玉数未満である場合には（ステップＳ２０５；Ｎｏ又はステップＳ２０７；Ｎｏ）、台間カード処理機１０は、表示操作部１３のＬＣＤに入力値エラーを示す「ＮＧ」を表示して（ステップＳ２０８）処理を終了する。
【００７８】
これに対して、持玉数（Ｃ）と持玉数（Ｄ）がともに最小持玉数以上である場合には（ステップＳ２０７；Ｙｅｓ）、持玉数（Ｃ）を関連付けた分割元カードを排出する（ステップＳ２０９）。具体的には、持玉数（Ｃ）をカード管理装置４０に送信してカード情報４０ｅの書き換え指示を行い、カード情報４０ｅの書き換え完了後に持玉数（Ｃ）をカードに記録し、記録完了後にカードを排出することになる。
【００７９】
その後、分割元カードの排出処理と同様の処理を行って、分割数（Ｄ）を関連付けた分割先カードを排出する（ステップＳ２１０）。なお、カードユニット部１５に収納されたカード枚数が所定値未満となった場合には（ステップＳ２１１；Ｎｏ）、表示操作部１３のＬＣＤにカード枚数不足「ＮＯ  ＣＡＲＤ」を表示して（ステップＳ２１２）、遊技客にカード不足を通知する。これにより、遊技客は遊技店の店員を呼んで、カードの補充を行わせる。なお、かかるカード不足となった場合には、台間カード処理機１０の状態表示部１１を例えば赤色点滅させることで、店員にカード不足を報知することもできる。
【００８０】
上記一連の処理により、分割元カード及び分割先カードの順でカードが排出処理されることになるので、遊技客は、分割元カードを台間カード処理機１０に挿入して遊技を継続するとともに、分割先カードを第三者に渡して持玉を効率良く譲渡することができる。なお、分割元カードが会員カードである場合には、分割後の持玉数（Ｃ）が最小持玉数未満か否かの判定は行わなくてもよい。または、分割後の持玉数（Ｃ）又は持玉数（Ｄ）の少なくともいずれか一方が最小持玉数未満であっても、分割処理を行うよう構成することもできるようにしてもよい。会員の場合は、予め氏名や住所が登録されていることから、いたずら等で無駄な持玉分割処理を行う可能性が低いためである。
【００８１】
上述してきたように、本実施例１に係る台間カード処理機１０は、持玉数の分割を行う場合に、分割元の遊技種並びに分割先の遊技種の指定を受け付けて、分割元として指定された遊技種の持玉数から指定された分割数を減算して分割元カードに関連付け、分割数に対応する持玉数を分割先として指定された遊技種の持玉として分割先カードに関連付ける。このため、複数の遊技種が存在する場合に、遊技機２０により使用される遊技種に限らず任意の遊技種を分割の対象とすることができる。
【００８２】
また、分割元と分割先が異なる遊技種であっても分割処理が可能であるので、分割にかかる利便性を大きく向上することができる。また、換算処理部１０ｊ１による換算を行うことで、分割元と分割先の遊技種のレートが異なる場合であっても持玉の分割が可能である。さらに、パチンコ玉とスロットメダルのように遊技媒体の種類が異なる場合であっても持玉の分割が可能である。なお、遊技種の一部について分割を禁止することも可能である。また、パチンコ玉とスロットメダルのように遊技媒体の種類の選択を可能とすることで、玉とメダルとの間で持玉（メダル）数の分割を可能とする場合は、遊技種選択時に遊技媒体の種類（玉／メダル）とレートの両方を入力することになる。
【実施例２】
【００８３】
上記実施例１では、持玉払出ボタンの操作を受けてパチンコ玉を払い出す台間カード処理機について説明を行った。かかる台間カード処理機は、遊技客によるパチンコ玉の投入を受け付けて、該パチンコ玉が遊技領域に射出されて入賞した場合には入賞により生じた賞玉分のパチンコ玉を払い出す開放式の遊技機に併設される。
【００８４】
しかし、近年では、遊技客からのパチンコ玉の投入や賞玉の払い出しを制限した封入式の遊技機の導入が検討されている。かかる封入式遊技機に併設される台間カード処理機では、持玉数のデータに基づいて封入式遊技機によるパチンコ玉の射出を管理し、賞玉数は持玉数に加算されることなる。
【００８５】
本実施例２では、封入式遊技機に併設される台間カード処理機に本発明を適用した場合について説明する。図８は、実施例２に係る台間カード処理機及び封入式遊技機の内部構成を示す機能ブロック図である。
【００８６】
図８に示す台間カード処理機１１０は、計数部１７を有さない点と、通信Ｉ／Ｆ部１０ｂが封入式遊技機１２０と通信する点と、制御部１０ｆが払出処理部１０ｋに代えて射出管理部１１１を有する点とが図４に示した台間カード処理機１０と異なる。その他の構成及び動作については図４に示した台間カード処理機１０と同様であるので、同一の構成要素には同一の符号を付して説明を省略する。
【００８７】
射出管理部１１１は、持玉数１０ｄに示された各遊技種の持玉数のうち、封入式遊技機１２０が使用する遊技種の持玉数が「０」より大きい場合に封入式遊技機１２０に対して射出許可を送信する。射出許可の送信は、通信Ｉ／Ｆ部１０ｂを介して行う。
【００８８】
また、射出管理部１１１は、封入式遊技機１２０によりパチンコ玉が射出された場合に、封入式遊技機１２０が使用する遊技種の持玉数を減算する処理を行う。この減算は、パチンコ玉が１玉射出される度に行ってもよいし、所定数（例えば１０玉）射出される度に行ってもよい。
【００８９】
射出されたパチンコ玉が入賞した場合には、台間カード処理機１１０は、通信Ｉ／Ｆ部１０ｂを介して入賞により得られた賞玉数を受信し、賞玉数を封入式遊技機１２０が使用する遊技種の持玉数に加算する処理を行う。
【００９０】
封入式遊技機１２０は、通信Ｉ／Ｆ部１２１、制御部１２２及び遊技制御部１２３を有する。通信Ｉ／Ｆ部１２１は、台間カード処理機１１０とデータ通信を行うためのインタフェース部である。通信Ｉ／Ｆ部１２１は、通信Ｉ／Ｆ部１０ｂと同様にセキュリティチップ部を有し、通信Ｉ／Ｆ部１０ｂのセキュリティチップとの間で暗号通信を行う。
【００９１】
制御部１２２は、封入式遊技機１２０を全体制御する制御部であり、通信制御部１２２ａ及び射出処理部１２２ｂを有する。通信制御部１２２ａは、台間カード処理機１１０との通信並びに遊技制御部１２３との通信を制御する制御部である。
【００９２】
通信制御部１２２ａは、台間カード処理機１１０より射出許可を受信した場合に射出処理部１２２ｂに通知する。また、通信制御部１２２ａは、遊技領域にパチンコ玉が射出された場合に、台間カード処理機１１０に射出玉数を送信する。また、通信制御部１２２ａは、射出されたパチンコ玉が入賞した場合に、賞玉数を台間カード処理機１１０に送信する。
【００９３】
射出処理部１２２ｂは、台間カード処理機１１０より射出許可を受信した状態で、遊技客によるハンドルの操作を検知した場合に遊技領域に対してパチンコ玉を射出する処理を行う。
【００９４】
遊技制御部１２３は、制御部１２２と接続し、封入されたパチンコを用いた遊技を制御する制御部である。遊技制御部１２３は、遊技領域にパチンコ玉が射出される度に制御部１２２に通知する。また、遊技制御部１２３は、射出されたパチンコ玉が入賞した場合に、賞玉数を制御部１２２に通知する。
【００９５】
このように封入式遊技機１２０に併設した台間カード処理機１１０であっても、実施例１と同様に、持玉数の分割を行う場合に、分割元の遊技種並びに分割先の遊技種の指定を受け付けて、分割元として指定された遊技種の持玉数から指定された分割数を減算して分割元カードに関連付け、分割数に対応する持玉数を分割先として指定された遊技種の持玉として分割先カードに関連付けることができる。また、分割元と分割先の遊技種が異なる場合や、遊技種のレートが異なる場合であっても持玉の分割が可能である点も実施例１と同様である。
【実施例３】
【００９６】
上記実施例１及び２では、単一の遊技種を分割元として持玉の分割を行う場合について説明を行ったが、複数の遊技種を分割元とすることも可能である。本実施例３では、複数の遊技種を分割元とする持玉の分割について説明する。
【００９７】
図９は、実施例３に係る台間カード処理機及び持玉分割方法の概念を説明するための説明図である。図９に示す台間カード処理機２１０は、遊技客自身の操作によって持玉を分割できる装置である。
【００９８】
遊技客が持玉を分割する場合には、分割元の遊技種、分割先の遊技種並びに分割する持玉数を入力する。図９（ａ１）は、分割元の遊技種を選択する操作を行った状態を示している。図９（ａ１）に示す状態では、台間カード処理機１０の表示操作部１３に、４円パチンコの持玉と、１円パチンコの持玉と、２０円スロットの持玉とが表示されている。
【００９９】
４円パチンコは、１玉４円で貸し出された４円レートのパチンコ玉の持玉を示す。図９（ａ１）では、４円パチンコの持玉は「１０００玉」である。１円パチンコは、１玉１円で貸し出された１円レートのパチンコ玉の持玉を示す。図９（ａ１）では、１円パチンコの持玉は「５００玉」である。２０円スロットは、１枚２０円で貸し出された２０円レートのスロットメダルの持玉を示す。図９（ａ１）では、２０円スロットの持玉は「７００枚」である。
【０１００】
また、図９（ａ１）では、遊技客により１円パチンコの持玉が分割元として指定されている。台間カード処理機１０は、分割元の指定を受け付けた後、図９（ａ２）に示すように、分割先の指定を受け付ける。図９（ａ２）は、４円パチンコ、１円パチンコ及び２０円スロットのうち、１円パチンコが分割先として指定された状態を示している。
【０１０１】
台間カード処理機１０は、分割先の指定を受け付けた後、図９（ａ３）に示すように、分割数の指定を受け付ける。図１（ａ３）は、「７００玉」を分割数として指定された状態を示している。
【０１０２】
台間カード処理機１０は、分割数の指定を受け付けた場合に、分割元について分割前後の持玉数を表示し、分割先について分割後の持玉数を表示する。ここで、分割元の持玉数が指定された分割数に満たない場合には、台間カード処理機２１０は、他の遊技種も分割元として使用する。
【０１０３】
図９では、１円パチンコ７００玉が分割数であるが、分割元である１円パチンコの持玉は５００玉であり、分割数に満たない。そこで、台間カード処理装置２１０は、１円パチンの持玉数である５００玉を全て使用し、不足分の１円パチンコ２００玉分については、４円パチンコの持玉数を使用することとしている。
【０１０４】
具体的には、図９（ａ３）に示すように、分割元である１円パチンコの持玉数「５００」が分割後に「０」となるとともに、４円パチンコの持玉数「１０００」が分割後に「９５０」となることが表示されている。４円パチンコの持玉数の差分「５０」は、１円パチンコの持玉数「２００」に相当するため、１円パチンコの持玉分「５００」と合算することにより、分割先に１円パチンコの持玉数「７００」を関連付けることができるのである。
【０１０５】
遊技客により分割元、分割先及び分割数を指定された後、台間カード処理機２１０は、カードの排出操作を行う。これにより、図９（ｂ）に示すように、分割元のカードＣ１及び分割先のカードＣ２が排出される。
【０１０６】
分割元のカードＣ１には、４円パチンコの持玉「９５０玉」、１円パチンコの持玉「０玉」並びに２０円スロットの持玉「７００枚」が関連付けられている。また、分割先のカードＣ２には、１円パチンコの持玉「７００玉」が関連付けられている。
【０１０７】
このため、遊技客は、台間カード処理機２１０のカードユニット部１５に分割元のカードＣ１を挿入して遊技を継続するとともに、分割先のカードＣ２を第三者に渡すことで持玉の一部を第三者に譲渡することができる。この分割先のカードＣ２を受け取った第三者は、他の遊技機に併設された台間カード処理機１０のカードユニット部１５に分割先のカードＣ２を挿入することで、１円パチンコの持玉「７００玉」を保有した状態で遊技を行うことが可能となる。
【０１０８】
さらに、この台間カード処理機１０は、分割処理終了後の時点から所定の期間（例えば「３０秒」）であれば、分割処理した２枚のカードを合算して元の状態に戻す分割取消処理が可能である。分割操作を誤った場合や分割処理を行っている途中で状況が変化した場合に柔軟に対応できるようにするためである。分割処理で複数の遊技種を分割元としていた場合には、分割取消処理を行った場合にそれぞれの分割元の持玉数を復元することが可能となるように、各分割元からの分割数を個別に記憶しておくことが望ましい。
【０１０９】
次に、図９に示した台間カード処理装置２１０の内部構成について説明する。図１０は、図９に示した台間カード処理装置２１０の内部構成を示す機能ブロック図である。図１０に示すように、台間カード処理装置２１０は、持ち玉分割処理部１０ｊに乗入処理部１０ｊ２をさらに有する。その他の構成及び動作については、実施例１に示した台間カード処理装置１０と同様であるので、同一の構成要素には同一の符号を付して説明を省略する。
【０１１０】
乗入処理部１０ｊ２は、指定された分割元の持玉数が指定された分割数に満たない場合に、他の遊技種も分割元として使用し、指定された分割数を確保する乗入処理を行う処理部である。具体的には、指定された分割元の持玉数が指定された分割数に満たなければ、乗入処理部１０ｊ２は、持玉数が０よりも大きい他の遊技種を分割元として選択する。
【０１１１】
乗入処理部１０ｊ２が選択した遊技種のレートが分割先の遊技種と異なる場合には、乗入処理部１０ｊ２は、分割先とのレートの違いに基づいた換算を行い、換算後の玉数の合計が、分割先の持玉数と一致するようにする。
【０１１２】
乗入処理部１０ｊ２が選択する遊技種は、遊技客による指定を受け付けることとしてもよいし、予め定めた優先順位に則って決定するようにしてもよい。また、乗入処理部１０ｊ２が選択する遊技種の数は任意である。例えば、４円パチンコ、２円パチンコ、１円パチンコの３つの遊技種を分割元として選択し、レートに応じた換算の後に合算することもできる。
【０１１３】
次に、図１０に示した台間カード処理機２１０による持玉分割処理時の処理手順について説明する。図１１は、図１０に示した台間カード処理機２１０による持玉分割処理時の処理手順を示すフローチャートである。
【０１１４】
図１１に示すように、台間カード処理機２１０は、分割元の遊技種を指定する操作の受け付け待ちの状態にあり（ステップＳ３０１）、分割元の遊技種（例えば４円レート）を指定する操作を受け付けたならば（ステップＳ３０１；Ｙｅｓ）、分割先の遊技種を指定する操作の受け付け待ちの状態となる（ステップＳ３０２）。
【０１１５】
分割先の遊技種を指定する操作を受け付けたならば（ステップＳ３０２；Ｙｅｓ）、台間カード処理機２１０は、分割数の受け付け待ちの状態となる（ステップＳ３０３）。分割数を受け付けたならば（ステップＳ３０３；Ｙｅｓ）、台間カード処理機１０は、分割元の現持玉数１０ｄ（Ａ）と分割数（Ｂ）から分割後の分割元カードの持玉数（Ｃ）を「Ｃ＝Ａ−Ｂ」の算定式により算定する（ステップＳ３０４）。そして、分割後の分割元カードの持玉数（Ｃ）が最小持玉数以上であるか否かを判定する（ステップＳ３０５）。
【０１１６】
分割後の分割元カードの持玉数（Ｃ）が最小持玉数未満となるならば（ステップＳ３０５；Ｎｏ）、乗入処理部１０ｊ２による乗入処理を行う（ステップＳ３１３）。乗入処理の後、又は分割後の分割元カードの持玉数（Ｃ）が最小持玉数以上である場合（ステップＳ３０５；Ｙｅｓ）、台間カード処理機２１０は、分割元の遊技種と分割先の遊技種のレートの差に基づいて分割数（Ｂ）を換算し、分割先カードに関連付ける持玉数（Ｄ）を算定し（ステップＳ３０６）、分割後の分割先カードの持玉数（Ｄ）が最小持玉数以上未満であるか否かを判定する（ステップＳ３０７）。
【０１１７】
持玉数（Ｄ）が最小持玉数未満である場合には（ステップＳ３０７；Ｎｏ）、台間カード処理機２１０は、表示操作部１３のＬＣＤに入力値エラーを示す「ＮＧ」を表示して（ステップＳ３０８）処理を終了する。
【０１１８】
これに対して、持玉数（Ｄ）が最小持玉数以上である場合には（ステップＳ３０７；Ｙｅｓ）、持玉数（Ｃ）を関連付けた分割元カードを排出する（ステップＳ３０９）。具体的には、持玉数（Ｃ）をカード管理装置４０に送信してカード情報４０ｅの書き換え指示を行い、カード情報４０ｅの書き換え完了後に持玉数（Ｃ）をカードに記録し、記録完了後にカードを排出することになる。
【０１１９】
その後、分割元カードの排出処理と同様の処理を行って、分割数（Ｄ）を関連付けた分割先カードを排出する（ステップＳ３１０）。なお、カードユニット部１５に収納されたカード枚数が所定値未満となった場合には（ステップＳ３１１；Ｎｏ）、表示操作部１３のＬＣＤにカード枚数不足「ＮＯ  ＣＡＲＤ」を表示して（ステップＳ３１２）、遊技客にカード不足を通知する。これにより、遊技客は遊技店の店員を呼んで、カードの補充を行わせる。なお、かかるカード不足となった場合には、台間カード処理機２１０の状態表示部１１を例えば赤色点滅させることで、店員にカード不足を報知することもできる。なお、報知するタイミングは分割処理開始時でもよい。その時点で分割カードが必要であることが明確になるからである。
【０１２０】
次に、乗入処理の具体例について説明する。図１２は、乗入処理の具体例について説明するための説明図である。図１２では、分割元の持玉数Ａのうち、４円パチンコの持玉数Ａａが「１０００」であり、２円パチンコの持玉数Ａｂが「０」であり、１円パチンコの持玉数Ａｃが「５００」である場合を示している。
【０１２１】
分割元である１円レート、次に分割先である１円レートの選択を行い、分割数Ｂとして１円パチンコ「７００」が指定されると、１円パチンコの持玉数Ａｃ「５００」は分割数Ｂに満たない状態となる。そこで、乗入処理部１０ｊ２は、４円パチンコの持玉数Ａａ「１０００」をさらに分割元として使用する。この結果、分割元カードの持玉数Ｃは、４円パチンコの持玉数Ｃａが「９５０」となり、２円パチンコの持玉数Ｃｂが「０」となり、１円パチンコの持玉数Ｃｃが「０」となる。また、分割先カードの持玉数Ｄは、４円パチンコの持玉数Ｄａが「０」となり、２円パチンコの持玉数Ｄｂが「０」となり、１円パチンコの持玉数Ｄｃが「７００」となる。
【０１２２】
乗入処理部１０ｊ２は、乗入処理を行う際に、分割元の各遊技種の持玉数Ｃａ，Ｃｂ，Ｃｃ並びに分割先の各遊技種の持玉数Ｄａ，Ｄｂ，Ｄｃが最小持玉数以上となるように、遊技種及び各遊技種から分割する持玉数を決定する。
【０１２３】
なお、分割元カードが会員カードである場合には、分割後の持玉数Ｃａ，Ｃｂ，Ｃｃや持玉数Ｄａ，Ｄｂ，Ｄｃが最小持玉数未満となってもよい点については、実施例１と同様である。
【０１２４】
また、一般カードであっても、最小持玉数未満となることを許容するように構成してもよい。その場合には、むしろ、残数が「０」となる方が望ましい。一般カードの使用は当日に限られるため、１２５玉等の持玉数を残す等により持玉を分散させるよりも、いずれかの遊技種の持玉がなくなるように分割することで持玉を集約する方がよい場合もあるからである。
【０１２５】
上述してきたように、本実施例３に係る台間カード処理装置２１０は、複数の遊技種を分割元として使用し、持玉数の分割を行うことができる。このため、一つの遊技種では所望の分割数を得られない場合であっても、柔軟に持玉の分割が可能である。
【０１２６】
本実施例３では、分割元の持玉数以上の分割数を指定可能に構成した場合について説明を行ったが、分割数はあくまで分割元の持玉数以内でしか指定できないように構成してもよい。その場合には、さらに分割を希望するのであれば、追加で同様の操作を行うこととなる。
【０１２７】
なお、上記実施例１、２及び３では、台間カード処理機にカードを挿入した場合に、カード管理装置で管理される持玉数を台間カード処理機に移行してカード管理装置が管理する持玉数をクリアすることとしたが、本発明はこれに限定されるものではなく、台間カード処理機とカード管理装置の双方で持玉数を管理する場合や、カード管理装置のみで持玉数を管理する場合に適用することもできる。
【０１２８】
また、上記実施例１、２及び３では、説明の便宜上、「複数のレートの中から遊技客が望む所望のレートを選択する場合」について説明したが、本発明は、「複数の遊技種の中から遊技客が望む所望の遊技種を選択する場合」に適用することもできる。この「遊技種」とは、レートが同一であっても交換率やプレミアの付与率が異なる場合など、運営上遊技に用いる遊技媒体を相互に分別して扱うべきものと定められている種別である。つまり、たとえ同一レートであっても複数の遊技種が存在し得る。
【０１２９】
また、上記実施例１、２及び３では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、台間カード処理機１０に設けられたリーダライタ（Ｒ／Ｗ）に当該携帯端末を翳すことにより、ＩＣチップとＲ／Ｗとの非接触通信により当該携帯端末と関連付けられたプリペイド価値及び持玉数を取得することができる。
【０１３０】
また、上記実施例１、２及び３では、パチンコ玉を使用する遊技機に併設した台間カード処理機を例示して説明を行ったが、スロットメダルを使用する遊技機に併設した台間カード処理機、精算機又は景品管理装置等、持玉が対応付けられた記憶媒体を処理する任意の装置に適用可能である。
【０１３１】
また、上記実施例１、２及び３では、持玉を分割する場合を例に説明を行ったが、貯玉の分割やプリペイド価値の分割等、遊技に関する各種データを分割して譲渡可能とする場合に広く適用可能である。
【０１３２】
また、上記実施例１、２及び３では、分割する数を入力する構成について説明を行ったが、分割して残す数の入力を行う構成で実施してもよい。例えば、図１に示した例で、図１（ａ２）に示すように、分割先の指定（１円パチンコ）を受け付けた後、図１（ａ３）で分割数の指定ではなく、分割後に残す玉（２００玉）を指定することで、図１と同様の分割を実現することができる。
【０１３３】
また、分割先或いは分割元の「最小持玉数」の設定は、レートによって異ならせることが望ましい。例えば、４円レートであれば「１２５玉」を最小持玉数とし、１円レートであれば「５００玉」を最小持玉数としてもよい。或いは、金額を入力することで、それぞれのレートでの玉数に換算して最小持玉数としてもよい。
【０１３４】
また、分割元で選択したレートと同一レートへの分割を設定している場合であれば、分割先の遊技種（レート）指定のステップは省略してもよい。また、分割元の選択操作を省略し、いきなり分割数入力を行った場合であれば、分割する遊技種（レート）は、現在操作している台間カード処理機と同じ遊技種であるといった分割方法であってもよい。また、現在操作している台間カード処理装置と同じ遊技種を分割先の遊技種とし、分割元の遊技種のみを選択するように構成してもよい。
【０１３５】
また、台間カード処理機と管理装置間との間の通信状態に応じて、分割処理の可／不可のさまざまな対応ができるようにしてもよい。例えば、管理装置と通信不良状態になると、「持玉分割は一切できない」、「パチンコ玉とスロットメダルのように遊技媒体の種類が異なる分割はできない」、「レートが同一の分割は認めるが、異なるレート間での分割はできない」といったパターンでの制御を行うことができる。
【０１３６】
また、上記実施例１、２及び３では、分割先のカードを排出した後、分割元のカードを排出する場合を説明したが、分割先カードと分割元カードの排出順序は任意であり、どちらを先に排出してもよい。
【０１３７】
また、図示した各構成は機能概略的なものであり、必ずしも物理的に図示の構成をされていることを要しない。すなわち、各装置の分散・統合の形態は図示のものに限られず、その全部または一部を各種の負荷や使用状況等に応じて、任意の単位で機能的または物理的に分散・統合して構成することができる。
【０１３８】
例えば、上記実施例１、２及び３では、カード管理装置と会員管理装置を別装置とした場合を示したが、本発明はこれに限定されるものではなく、カード管理装置と会員管理装置を一体化した場合に適用することもできる。
【産業上の利用可能性】
【０１３９】
以上のように、本発明に係る記憶媒体処理装置、遊技システム及び記憶媒体処理方法は、持玉数や貯玉数のような遊技媒体の一部を他の遊技客に譲渡して遊技媒体を共有する場合の利便性向上に適している。
【符号の説明】
【０１４０】
１０、１１０、２１０    台間カード処理機
１０ａ  Ｒ／Ｗ部
１０ｂ、４０ｃ、１２１  通信Ｉ／Ｆ部
１０ｃ、４０ｄ  記憶部
１０ｄ  持玉数
１０ｅ  最小持玉数
１０ｆ、４０ｆ、１２２  制御部
１０ｇ  持玉管理部
１０ｈ  分割対象受付部
１０ｊ  持玉分割処理部
１０ｊ１  換算処理部
１０ｊ２  乗入処理部
１０ｋ  払出処理部
１１    状態表示部
１２    紙幣挿入部
１３    表示操作部
１４    ノズル
１５    カードユニット部
１６    携帯読取部
１７    計数部
１８    持玉貯留部
１８ａ  持玉数表示部
２０    遊技機
２１    上皿
２１ａ  カード返却ボタン
２２    下皿
３０    島コントローラ
４０    カード管理装置
４０ａ  入力部
４０ｂ  表示部
４０ｅ  カード情報
４０ｇ  カード情報管理部
５０    会員管理装置
６０    島端計数機
７０    精算機
８０    景品管理装置
９０    通信回線
１１１    射出管理部
１２２ａ  通信制御部
１２２ｂ  射出処理部
１２３    遊技制御部
【図１】
2013215565.tif 000003
【図２】
2013215565.tif 000004
【図３】
2013215565.tif 000005
【図４】
2013215565.tif 000006
【図５】
2013215565.tif 000007
【図６】
2013215565.tif 000008
【図７】
2013215565.tif 000009
【図８】
2013215565.tif 000010
【図９】
2013215565.tif 000011
【図１０】
2013215565.tif 000012
【図１１】
2013215565.tif 000013
【図１２】
2013215565.tif 000014